(57)【要約】【解決手段】上部フレーム１と底部２とはね上げ側壁３と上部分割側壁４’と下部分割側壁４”とからなる折り畳みコンテナー本体Ｃと、一対の半蓋体５からなる蓋部材Ｌとから構成されている折り畳みコンテナーにおいて、半蓋体の載置部５’と被載置部５”とを、正弦曲線状の境界壁５ｉを介して並設したものである。【効果】半蓋体の載置部と被載置部とを、正弦曲線状の境界壁を介して並設したので、蓋部材を開放した状態で、蓋付き折り畳みコンテナーを、適当な搬送手段により搬送する際に、隣接する蓋付き折り畳みコンテナーの半蓋体同士が当接しても、半蓋体同士が引っ掛かるようなことがなく、従って、蓋付き折り畳みコンテナーの搬送が阻害されるというようなことを防止することができる。【選択図】図４
2006199321.tif 000002
【特許請求の範囲】
【請求項１】
上部フレームと底部とはね上げ側壁と上部分割側壁と下部分割側壁とからなる折り畳みコンテナー本体と、前記上部フレームの相対する枠部にヒンジ連結された一対の半蓋体を有する蓋部材とにより構成されている折り畳みコンテナーにおいて、前記半蓋体の載置部と被載置部とが、正弦曲線状の境界壁を介して並設されていることを特徴とする折り畳みコンテナー。
【請求項２】
上記載置部の裏面に形成されたリブ部及び上記被載置部の上面に形成されたリブ部に、洗浄液等が排出される通路が形成されていることを特徴とする請求項１に記載の折り畳みコンテナー。
【発明の詳細な説明】
【技術分野】
【０００１】
本発明は、種々の物品の保管、輸送或いは搬送等に使用される蓋付き折り畳みコンテナーに関するものである。
【背景技術】
【０００２】
従来、一対の半蓋体からなる蓋部材と、折り畳みコンテナー本体とからなる蓋付き折り畳みコンテナーが知られており、折り畳みコンテナー本体は、額縁状の上部フレームと、底部と、上部フレームにその上端部がヒンジ連結された、折り畳みコンテナーの内側方向に回動可能な側壁（以下、この側壁を、はね上げ側壁という。）と、適当なヒンジ部を介して連結された上部分割側壁と下部分割側壁とから構成されており、且つ、上部分割側壁の上端部が、上部フレームにヒンジ連結されており、また、下部分割側壁の下端部が、底部にヒンジ連結されている。そして、蓋部材を構成する一対の半蓋体は、上部フレームにヒンジ連結されている。
【０００３】
蓋部材を構成する一対の半蓋体は、折り畳みコンテナー本体を被蓋した際には、その先端部分の略半分の領域が、互いに重合されるように構成されている。即ち、半蓋体の先端部の一方の半分の領域は、一対の半蓋体の先端部が重合された際に、上方に位置する載置部として構成され、また、もう一方の半分の領域は、下方に位置する被載置部として構成されているとともに、載置部の先端は、被載置部の先端より前方に突出しており、且つ、載置部の被載置部側の縁部は、直線状に形成されている。
【０００４】
また、一対の半蓋体により、折り畳みコンテナー本体を被蓋した際には、一方の半蓋体の被載置部に、もう一方の半蓋体の載置部が載置されて、一方の半蓋体の被載置部ともう一方の半蓋体の載置部とが重合されることになるが、載置部と被載置部とが重合した際には、載置部の裏面に形成されたリブ部と被載置部の上面に形成されたリブ部とが、互いに、嵌合されるように構成されている。
【０００５】
上述したような、蓋部材が配設された蓋付き折り畳みコンテナーは、一例として、特許文献１に開示されている。
【０００６】
【特許文献１】特開２００１−７２１０４号公報
【発明の開示】
【発明が解決しようとする課題】
【０００７】
上述した従来の半蓋体においては、半蓋体の載置部の被載置部側の縁部が、直線状に形成されているために、載置部の被載置部側の角部が、なだらかな曲線に形成されていない。そのために、蓋部材を開放した状態で、蓋付き折り畳みコンテナーを、適当な搬送手段により搬送する際に、蓋付き折り畳みコンテナー同士が接近し、半蓋体同士が引っ掛かって、蓋付き折り畳みコンテナーの搬送が阻害されるという問題があった。
【０００８】
また、従来の半蓋体の載置部の裏面や被載置部の上面に形成されたリブ部の構造が複雑であるために、リブ部を構成するリブ同士が当接したり、引っ掛かったりして、円滑に、且つ、迅速に、半蓋体同士を重合させて、折り畳みコンテナー本体を被蓋したり、或いは、半蓋体を開けることができなかったという問題があった。
【０００９】
更に、従来の半蓋体の載置部の裏面や被載置部の上面に形成されたリブ部の構造が複雑であり、また、載置部の裏面や被載置部の上面には、リブで囲まれた領域が形成されているために、半蓋体の洗浄性、ひいては、蓋付き折り畳みコンテナーの洗浄性が悪いという問題があった。特に、リブで囲まれた領域が存在すると、この部分に、洗浄液等が溜まり、洗浄後の乾燥に、時間や労力が係り、洗浄作業の作業性が悪くなるという問題があった。
【００１０】
本発明の目的は、上述した従来の蓋付き折り畳みコンテナーが有する課題を解決することにある。
【課題を解決するための手段】
【００１１】
本発明は、上述した目的を達成するために、上部フレームと底部とはね上げ側壁と上部分割側壁と下部分割側壁とからなる折り畳みコンテナー本体と、上部フレームの相対する枠部にヒンジ連結された一対の半蓋体を有する蓋部材とから構成されている折り畳みコンテナーにおいて、第１には、半蓋体の載置部と被載置部とを、正弦曲線状の境界壁を介して並設したものであり、第２には、載置部の裏面に形成されたリブ部に及び被載置部の上面に形成されたリブ部に、洗浄液等が排出される通路を形成したものである。
【発明の効果】
【００１２】
半蓋体の載置部と被載置部とを、正弦曲線状の境界壁を介して並設したので、蓋部材を開放した状態で、蓋付き折り畳みコンテナーを、適当な搬送手段により搬送する際に、隣接する蓋付き折り畳みコンテナーの半蓋体同士が当接しても、半蓋体同士が引っ掛かるようなことがなく、従って、蓋付き折り畳みコンテナーの搬送が阻害されるというようなことを防止することができる。
【００１３】
載置部の裏面に形成されたリブ部に及び被載置部の上面に形成されたリブ部に、洗浄液等が排出される通路を形成したので、半蓋体に、洗浄液等が溜まるようなことを防止することができる。
【実施例】
【００１４】
以下に、本発明の実施例について説明するが、本発明の趣旨を越えない限り何ら、本実施例に限定されるものではない。
【００１５】
蓋付き折り畳みコンテナーは、折り畳みコンテナー本体Ｃと一対の半蓋体からなる蓋部材Ｌとにより構成されている。
【００１６】
折り畳みコンテナー本体Ｃは、額縁状の上部フレーム１と、底部２と、上部フレーム１の短辺枠１ａに、その上端部がヒンジ連結された、折り畳みコンテナー本体Ｃの内側方向に回動可能な側壁（以下、この側壁を、はね上げ側壁という。）３と、ヒンジ連結された上部分割側壁４’と下部分割側壁４”とから構成されており、上部分割側壁４’の上端部は、上部フレーム１の長辺枠１ｂにヒンジ連結されているとともに、下部分割側壁４”の下端部は、底部２の長辺部２ａにヒンジ連結されている。
【００１７】
折り畳みコンテナー本体Ｃに被蓋される蓋部材Ｌは、一対の半蓋体５により構成されており、半蓋体５の辺部が、適当なヒンジ部材により、上部フレーム１の相対する長辺枠１ｂにヒンジ連結されている。
【００１８】
図１や図２に示されている箱型に組み立てられた折り畳みコンテナーの本体Ｃを折り畳むには、先ず最初に、略垂直状態のはね上げ側壁３を、折り畳みコンテナー本体Ｃの内側方向に上方に回動させて、略水平状態とし、次いで、上部分割側壁４’と下部分割側壁４”とをヒンジ連結しているヒンジ部を、内側方向に移動させて、上部分割側壁４’と下部分割側壁４”とを互いに重ねることにより、図３に示されているように、高さの低いコンパクトな状態に折り畳むことができるように構成されている。また、底部２に対して、上部フレーム１を上方に持ち上げて、互いに重ねられている上部分割側壁４’と下部分割側壁４”とを、略面一状態にし、次いで、略水平状態のはね上げ側壁３を、下方に回動させて、略垂直状態とすることにより、折り畳みコンテナーの本体Ｃを箱型に組み立てることができるように構成されている。
【００１９】
次に、主として、図４及び図５を用いて、蓋部材Ｌを構成する半蓋体５について説明する。
【００２０】
半蓋体５は、長方形状の本体部５Ａと、該本体部５Ａの相対する長辺部５ａ１のうちの一方の長辺部５ａ１に、該一方の長辺部５ａの略半分の長さに亘たって形成された略長方形平板状の載置部５’と、上記の一方の長辺部５ａの他の略半分の長さに亘たって形成された略長方形平板状の被載置部５”とを有している。また、公知のように、もう一方の長辺部５ａ１には、適当なヒンジ部Ｈ１が形成されており、このヒンジ部Ｈ１が、上部フレーム１の長辺枠１ｂに形成されたヒンジ部Ｈ２に連結されることにより、半蓋体５が、上部フレーム１の長辺枠１ｂに、ヒンジ連結されるように構成されている。
【００２１】
本体部５Ａは、長方形状の板状部５ｂを有しており、板状部５ｂの裏面（折り畳みコンテナー本体Ｃを、半蓋体５で被蓋した際に、折り畳みコンテナー本体Ｃの内部側に位置する面）５ｂ１には、板状部５ｂの周縁に沿って、板状部５ｂに略垂直な周壁５ｃが垂設されている。また、周壁５ｃで囲まれた板状部５ｂの上面（折り畳みコンテナー本体Ｃを、半蓋体５で被蓋した際に、折り畳みコンテナー本体Ｃの外部側に位置する面）５ｂ２を凹まして、板状部５ｂの裏面５ｂ２側を膨出させることにより、板状部５ｂには、その底部５ｄ１が平坦な凹部５ｄが形成されている。
【００２２】
板状部５ｂの相対する短辺部５ａ２のうちの一方の短辺部５ａ２には、該短辺部５ａ２の中程から、ヒンジ部Ｈ１が形成されていない長辺部５ａ１まで略延在する帯状枠板５ｅが形成されている。帯状枠板５ｅには、嵌合透孔５ｅ１が穿設されているとともに、板状部５ｂの短辺部５ａ２に沿った帯状枠板５ｅの裏面縁部のうち、嵌合透孔５ｅ１付近に位置する裏面縁部には、係合突条５ｅ２が突設されている。また、板状部５ｂの相対する短辺部５ａ２のうちのもう一方の短辺部５ａ２には、該短辺部５ａ２の中程から、ヒンジ部Ｈ１が形成されていない長辺部５ａ１方向に向かって、載置部５’の先端まで延在する帯状枠板５ｆが形成されている。帯状枠板５ｆには、上記の嵌合透孔５ｅ１と同様の嵌合透孔５ｆ１が穿設されているとともに、板状部５ｂの短辺部５ａ２に沿った帯状枠板５ｆの裏面縁部のうち、嵌合透孔５ｆ１付近に位置する裏面縁部には、上記の係合突条５ｅ２と同様の係合突条５ｆ２が突設されている。
【００２３】
被載置部５”は、本体部５Ａの周壁５ｃを構成する被載置部５”側の長壁部５ｃ１の下端に連接されているとともに、その先端は、上記の長壁部５ｃ１に略平行で、且つ、被載置部５”の短辺方向の長さ（長壁部５ｃ１に対して、垂直方向の長さ）は、載置部５’の短辺方向の長さの略半分に形成されている。
【００２４】
載置部５’は、本体部５Ａの板状部５ｂ及び帯状枠板５ｆを延在することにより形成されており、載置部５’の側端と帯状枠板５ｆの側端とは一致し、共通の直線状の側端５ｇを形成するように構成されている。
【００２５】
載置部５’と被載置部５”とは、変曲点ｐ１を挟んで、載置部５’側に延在する載置部側円弧部５ｈ１と被載置部５”側に延在する被載置部側円弧部５ｈ２とからなる正弦曲線状境界部５ｈを挟んで、本体部５Ａの相対する長辺部５ａ１に沿って、並設されており、正弦曲線状境界部５ｈには、正弦曲線状の境界壁５ｉが形成されている。境界壁５ｉの一端は、本体部５Ａの周壁５ｃを構成する被載置部５”側の直線状の長壁部５ｃ１に連接されているとともに、境界壁５ｉの他端は、載置部５’の先端に垂設された直線状の長壁部５ｊ１に連接されており、また、載置部５’の帯状枠板５ｆに沿った短壁部５ｊ２は、長壁部５ｊ１に連接されているとともに、本体部５Ａの周壁５ｃを構成する短壁部５ｃ２に、略面一状に連接されている。境界壁５ｉと長壁部５ｊ１と短壁部５ｊ２と本体部５Ａの周壁５ｃを構成する長壁部５ｃ１とにより、載置部５’の周壁５ｊが形成されている。
【００２６】
帯状枠板５ｆ付近に位置する載置部５’には、載置部５’の帯状枠板５ｆに沿った短壁部５ｊ２に隣接した窪み部５ｋが形成されており、窪み部５ｋ内には、本体部５Ａの周壁５ｃを構成する長壁部５ｃ１と略平行な相対する長壁部５ｋ１の上端部を連結する架橋リブ５ｋ２が形成されている。また、窪み部５ｋを構成する上記の短壁部５ｊ２には、窪み部５ｋに連通された嵌合孔５ｊ２’が穿設されている。更に、窪み部５ｋを形成する底板５ｋ３のうち、架橋リブ５ｋ２と短壁部５ｊ２との間に位置する部分には、長壁部５ｋ１に沿ってスリット５ｋ４が穿設されている。
【００２７】
図６において、６は、上述した載置部５’に形成された窪み部５ｋに収容されるロック部材であり、ロック部材６は、略長方形状の板部６ａと、板部６ａの短辺６ｂに沿って、板部６ａの上面に突設された板状の把手部６ｃと、板部６ａの裏面に垂設されているとともに、上述した載置部５’に形成された窪み部５ｋの底板５ｋ３に穿設されたスリット５ｋ４に嵌合可能な突起６ｄを有している。
【００２８】
ロック部材６を窪み部５ｋに収容した際には、ロック部材６の板部６ａが、窪み部５ｋの底板５ｋ３と架橋リブ５ｋ２により形成される間隙に挿入されるとともに、ロック部材６の突起６ｄが、窪み部５ｋの底板５ｋ３に穿設されたスリット５ｋ４に挿入されている。また、ロック部材６の把手部６ｃ側の円弧状の短辺６ｂが、載置部５’に形成された窪み部５ｋの短壁部５ｊ２と相対する短側部５ｋ５に当接或いは接近して位置している場合には、ロック部材６の短壁部５ｊ２側の先端６ｅが、短壁部５ｊ２を越えて、外側に延在しないように構成されている。そして、ロック部材６を、把手部６ｃが、架橋リブ５ｋ２に当接するように移動させた際には、ロック部材６の先端６ｅが、短壁部５ｊ２に穿設された嵌合孔５ｊ２’の挿通されるとともに、短壁部５ｊ２を越えて、外側に延在するように構成されている。
【００２９】
被載置部５”の裏面には、被載置部５”の縁部で、且つ、本体部５Ａの周壁５ｃを構成する被載置部５”側の長壁部５ｃ１に沿って、長壁部５ｍが垂設されており、また、載置部５’の裏面には、長壁部５ｍを延在することにより、載置部５’に形成された窪み部５ｋを形成する短側部５ｋ５まで達する仕切り壁５ｎが垂設されている。更に、載置部５’の裏面に垂設された仕切り壁５ｎと、載置部５’の周壁５ｊを構成する直線状の長壁部５ｊ１とは、仕切り壁５ｎ及び長壁部５ｊ１に対して略垂直で、且つ、仕切り壁５ｎ及び長壁部５ｊ１を越えて、下方に延在しない複数の補強リブ５ｐにより架橋されている。補強リブ５ｐの上記の長壁部５ｊ１側に位置する一端には、傾斜端５ｐ１が形成されており、傾斜端５ｐ１の先端は、載置部５’の裏面と面一に形成されている。更にまた、一つ置きに位置する補強リブ５ｐの略中央部には、切り欠き凹部５ｐ２が形成されている。なお、本実施例には、４本の補強リブ５ｐが形成されているとともに、載置部５’の周壁５ｊを構成する短壁部５ｊ２側に位置する補強リブ５ｐ及び該補強リブ５ｐから１つの補強リブ５ｐを置いて位置する補強リブ５ｐに、切り欠き凹部５ｐ２が形成されている例が示されている。なお、図５に点線で示されているように、仕切り壁５ｎの適当な個所に、切り欠き凹部５ｎ１を形成することが好ましい。
【００３０】
被載置部５”の上面には、直線状リブ部５ｑ１と、上述した被載置部５”側に延在する被載置部側円弧部５ｈ２に沿って形成された湾曲リブ部５ｑ２と、湾曲リブ部５ｑ２と被載置部側円弧部５ｑ２とを連結するとともに直線状リブ部５ｑ１に略平行な端部連結リブ５ｑ３と、直線状リブ部５ｑ１の帯状枠板５ｅ側の端部に延設されているとともに直線状リブ部５ｑ１に垂直な端部リブ５ｑ４とからなる嵌合凹部形成用リブ５ｑが立設されており、嵌合凹部形成用リブ５ｑは、本体部５Ａの周壁５ｃを構成する被載置部５”側の長壁部５ｃ１に接近するように形成されている。そして、嵌合凹部形成用リブ５ｑと長壁部５ｃ１と被載置部側円弧部５ｈ２との間には、嵌合凹部５ｒが形成されている。
【００３１】
また、被載置部５”の上面には、嵌合凹部形成用リブ５ｑの直線状リブ部５ｑ１と略平行に、且つ、所定の間隙を置いて、複数の嵌合リブ５ｓが立設されている。本実施例には、２本の嵌合リブ５ｓが立設されている例が示されている。なお、帯状枠板５ｅ側に位置する嵌合リブ５ｓと嵌合凹部形成用リブ５ｑの端部リブ５ｑ４とは、補強用縁リブ５ｔにより連結されていることが好ましい。更に、半蓋体５の正弦曲線状境界部５ｈに沿って形成された正弦曲線状の境界壁５ｉには、切り欠き凹部５ｉ１が形成されている。
【００３２】
図２に示されているように、上部フレーム１の短辺枠１ａは、略水平状の上面部１ａ１と、上面部１ａ１の内側縁部から略垂直に下方に延在する内側壁部１ａ２と、上面部１ａ１の外側縁部から略垂直に下方に延在する外側壁部１ａ３とにより、短辺枠１ａの長手方向に直交する垂直断面が、略Ｕ字状に形成されている。相対する短辺枠１ａの上面部１ａ１には、所定の間隔を置いて、上述した半蓋体５の一方の帯状枠板５ｅに穿設された嵌合透孔５ｅ１或いは半蓋体５のもう一方の帯状枠板５ｆに穿設された嵌合透孔５ｆ１に嵌合可能な嵌合突部７が突設されている。また、上部フレーム１の相対する短辺枠１ａを構成する内側壁部１ａ２には、それぞれ、上述したロック部材６を構成する板部６ａが挿入可能な透孔８が穿設されている。更に、上部フレーム１の短辺枠１ａの嵌合突部７付近に位置する上面部１ａ１と外側壁部１ａ３により形成される角部を傾斜状に削除することにより、該角部には、所定の間隔を置いて、半蓋体５の一方の帯状枠板５ｅに垂設された係合突条５ｅ２及びもう一方の帯状枠板５ｆに垂設された係合突条５ｆ２が嵌合可能な嵌合凹部９が形成されている。この嵌合凹部９は、短辺枠１ａの上面部１ａ１から外側壁部１ａ３に向かって、下方に傾斜した傾斜面９ａを有している。更にまた、上部フレーム１を構成する相対する短辺枠１ａの長辺枠１ｂ側付近に位置する上面部１ａ１に、それぞれ、箱型状の凸部１０が形成されている。
【００３３】
上述したように、半蓋体５に、一方の帯状枠板５ｅともう一方の帯状枠板５ｆとを形成することにより、一方の帯状枠板５ｅと板状部５ｂの一方の短辺部５ａ２とにより、及び、もう一方の帯状枠板５ｆと板状部５ｂのもう一方の短辺部５ａ２とにより、それぞれ、嵌合隅部１１が形成されている。
【００３４】
次に、上述した構成を有する一対の半蓋体５を、上部フレーム１に載置した状態について説明する。
【００３５】
一対の半蓋体５を、上部フレーム１に載置した際には、互いに、一方の半蓋体５の載置部５’が、もう一方の半蓋体５の被載置部５”の上面に載置されるように構成されている。また、境界壁５ｉと長壁部５ｊ１と短壁部５ｊ２と本体部５Ａの周壁５ｃを構成する長壁部５ｃ１とにより構成された載置部５’の周壁５ｊのうち、長壁部５ｊ１と境界壁５ｉの半分程度が、被載置部５”の嵌合凹部形成用リブ５ｑと長壁部５ｃ１と被載置部側円弧部５ｈ２との間に形成された嵌合凹部５ｒに嵌合されるとともに、嵌合凹部形成用リブ５ｑの端部連結リブ５ｑ３付近が、正弦曲線状の境界壁５ｉに形成された切り欠き凹部５ｉ１に挿入されるように構成されている。更に、被載置部５”の上面には突設された嵌合リブ５ｓのうち、半蓋体５の載置部５’の裏面に垂設された補強リブ５ｐに当接する部分は、切り欠き凹部５ｐ２が形成されている補強リブ５ｐの切り欠き凹部５ｐ２に挿入されるように構成されている。更にまた、上部フレーム１の短辺枠１ａの上面部１ａ１に突設された一対の嵌合突部７は、半蓋体５の一方の帯状枠板５ｅに穿設された嵌合透孔５ｅ１及びもう一方の帯状枠板５ｆに穿設された嵌合透孔５ｆ１に嵌合されるように構成されている。なお更に、半蓋体５の一方の帯状枠板５ｅに形成された係合突条５ｅ２及びもう一方の帯状枠板５ｆに形成された係合突条５ｆ２は、それぞれ、上部フレーム１の短辺枠１ａの角部に形成された嵌合凹部９に挿入されるように構成されている。また、一対の半蓋体５を、上部フレーム１に載置した際には、上部フレーム１を構成する相対する短辺枠１ａの長辺枠１ｂ側付近に位置する上面部１ａ１に形成された箱型状の凸部１０が、半蓋体５の一方の帯状枠板５ｅと板状部５ｂの一方の短辺部５ａ２及びもう一方の帯状枠板５ｆと板状部５ｂのもう一方の短辺部５ａ２とにより形成された嵌合隅部１１に嵌合されるように構成されている。
【００３６】
一対の半蓋体５を、上部フレーム１に載置する際には、上述したように、ロック部材６の板部６ａの先端６ｅが、短壁部５ｊ２を越えて外側に延在しないようにする。そして、一対の半蓋体５を、上部フレーム１に載置した後、ロック部材６の板部６ａの先端６ｅを、短壁部５ｊ２に穿設された嵌合孔５ｊ２’に挿入するとともに、上部フレーム１の短辺枠１ａを構成する内側壁部１ａ２に穿設された透孔８に挿通することにより、半蓋体５と上部フレーム１とが、ロック部材６を介して、ロックされることになる。なお、ロック部材６による半蓋体５と上部フレーム１のロック状態を解除するには、ロック部材６を、上記と反対方向に移動させて、ロック部材６の板部６ａの先端６ｅを、短壁部５ｊ２から引っ込める。
【００３７】
上述したように、本体部５Ａの長辺部５ａ１に沿って配設された載置部５’と被載置部５”とは、正弦曲線状境界部５ｈを挟んで並設されており、半蓋体５の載置部５’の被載置部５”側の縁部が、正弦曲線状に形成されているために、蓋部材５を開放した状態で、蓋付き折り畳みコンテナーを、適当な搬送手段により搬送する際に、隣接する蓋付き折り畳みコンテナーの半蓋体５同士が当接しても、半蓋体５同士が引っ掛かるようなことがなく、従って、蓋付き折り畳みコンテナーの搬送が阻害されるというようなことを防止することができる。
【００３８】
また、載置部５’の裏面に形成された正弦曲線状の境界壁５ｉには、切り欠き凹部５ｉ１が形成されているとともに、補強リブ５ｐの一端には、傾斜端５ｐ１が形成されているので、載置部５’の裏面に溜まった洗浄液等は、傾斜端５ｐ１の低いリブを経て、切り欠き凹部５ｉ１から排出されるので、載置部５’の裏面に、洗浄液等が溜まるようなことを防止することができる。また、仕切り壁５ｎに、切り欠き凹部５ｎ１を形成することにより、長壁部５ｃ１と仕切り壁５ｎ等により囲まれた部分に、洗浄液等が溜まっても、洗浄液等は、切り欠き凹部５ｎ１を経て、切り欠き凹部５ｉ１から排出されるので、載置部５’の裏面に、洗浄液等が溜まるようなことを、より確実に防止することができる。
【００３９】
更に、被載置部５”に形成された、嵌合凹部５ｒを形成する嵌合凹部形成用リブ５ｑと長壁部５ｃ１と被載置部側円弧部５ｈ２とは、帯状枠板５ｅ側に開口部５ｕが存在するので、嵌合凹部５ｒに溜まった洗浄席等は、この開口部５ｕから排出されるので、被載置部５”の上面に、洗浄液等が溜まるようなことを防止することができる。更にまた、被載置部５”の上面に突設された嵌合リブ５ｓ間、或いは、その端部には、間隙が形成されているので、被載置部５”の上面に、洗浄液等が溜まるようなことを防止することができる。
【００４０】
更にまた、折り畳みコンテナー本体Ｃが、箱型に組み立てられた際には、上部フレーム１の短辺枠１ａの上面部１ａ１に突設された一対の嵌合突部７が、半蓋体５の一方の帯状枠板５ｅに穿設された嵌合透孔５ｅ１及びもう一方の帯状枠板５ｆに穿設された嵌合透孔５ｆ１に嵌合されるように構成されているので、半蓋体５は、水平方向にずれるようなことが防止できるとともに、折り畳みコンテナー本体Ｃに捩じれ負荷等の負荷が加わった際にも、折り畳みコンテナー本体Ｃが変形するようなことを防止することができ、ひいては、半蓋体５で被蓋された蓋付き折り畳みコンテナーの強度や剛性を高めることができる。
【００４１】
なお更に、半蓋体５の一方の帯状枠板５ｅに形成された係合突条５ｅ２及びもう一方の帯状枠板５ｆに形成された係合突条５ｆ２は、それぞれ、上部フレーム１の短辺枠１ａの角部に形成された嵌合凹部９に挿入されるように構成されているので、半蓋体５が、水平方向にずれるようなことを確実に防止することができる。
【００４２】
更には、上部フレーム１の短辺枠１ａの角部に形成された嵌合凹部９は、上部フレーム１の短辺枠１ａの上面部１ａ１と外側壁部１ａ３により形成される角部を、上面部１ａ１から外側壁部１ａ３に向かって、下方に傾斜した傾斜面９ａとして形成されているので、上部フレーム１に、半蓋体５を被蓋する際に、半蓋体５の一方の帯状枠板５ｅに形成された係合突条５ｅ２及びもう一方の帯状枠板５ｆに形成された係合突条５ｆ２が、傾斜面９ａに当接し案内されるので、半蓋体５を、容易に、且つ、確実に、上部フレーム１に載置することができる。
【００４３】
なお更には、上部フレーム１を構成する短辺枠１ａの長辺枠１ｂ側付近に位置する上面部１ａ１に突設された箱型状の凸部１０が、半蓋体５を構成する、一方の帯状枠板５ｅと板状部５ｂの一方の短辺部５ａ２及びもう一方の帯状枠板５ｆと板状部５ｂのもう一方の短辺部５ａ２とにより形成される嵌合隅部１１に嵌合されるように構成されているので、半蓋体５が、水平方向にずれるようなことを、より確実に防止できるとともに、上記の嵌合機構が、上部フレーム１と半蓋体５のヒンジ連結部付近の形成されているので、半蓋体５の水平方向のずれが、上記の嵌合機構により阻止され、従って、上部フレーム１と半蓋体５のヒンジ連結部が損傷するようなことを防止することができる。
【図面の簡単な説明】
【００４４】
【図１】図１は、本発明の折り畳みコンテナーが箱型に組み立てられ、且つ、蓋で被蓋された状態の斜視図である。
【図２】図２は、本発明の折り畳みコンテナーが箱型に組み立てられ、且つ、蓋が開けられた状態の斜視図である。
【図３】図３は、本発明の折り畳みコンテナーが折り畳まれた状態の斜視図である。
【図４】図４は、本発明の折り畳みコンテナーの蓋部材を構成する半蓋体の上方からの斜視図である。
【図５】図５は、本発明の折り畳みコンテナーの蓋部材を構成する半蓋体の裏面からの斜視図である。
【図６】図６は、本発明の折り畳みコンテナーを構成する蓋部材の半蓋体に配設されるロック部材等の斜視図である。
【符号の説明】
【００４５】
Ｃ・・・・・・・・折り畳みコンテナー本体
Ｌ・・・・・・・・蓋部材
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
５・・・・・・・・半蓋体
５’・・・・・・・載置部
５”・・・・・・・被載置部
５ｉ・・・・・・・境界壁
６・・・・・・・・ロック部材
７・・・・・・・・嵌合突部
【図１】
2006199321.tif 000003
【図２】
2006199321.tif 000004
【図３】
2006199321.tif 000005
【図４】
2006199321.tif 000006
【図５】
2006199321.tif 000007
【図６】
2006199321.tif 000008